【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
ガス入口と、ガス出口と、前記ガス入口と前記ガス出口との間に配置される混合通路であって、ガス流が前記ガス入口から前記ガス出口へと移動するときに加速する狭窄部分を有する混合通路と、濃縮される液体が通って前記混合通路へ注入される液体入口であって、前記ガス入口と前記狭窄部分との間の前記混合通路内に配置される液体入口とを含む濃縮装置部と、
前記濃縮装置部の前記ガス出口に連結されるデミスターガス流路と、前記デミスターガス流路内を流れるガスから液体を除去するために前記デミスターガス流路内に配置される液体コレクタと、前記液体コレクタによって、前記デミスターガス流路内を流れるガスから除去した液体を回収する貯留槽とを含み、前記濃縮装置部の下流に配置されるデミスターと、
を備えることを特徴とする液体濃縮装置システム。
【請求項２】
貯留槽内の液体を前記混合通路へ輸送するために、前記貯留槽と前記混合通路との間に配置される再循環回路をさらに含むことを特徴とする請求項１に記載の液体濃縮装置システム。
【請求項３】
前記濃縮装置部は、前記混合通路の狭窄部分に配置される調整可能な流量制限部を備え、
前記流量制限部は、前記混合通路を通るガス流路を変更するように調整可能であることを特徴とする請求項１または２に記載の液体濃縮装置システム。
【請求項４】
前記濃縮装置部は、前記ガス入口と前記狭窄部分との間の前記混合通路内に配置されるさらなる液体入口を含み、前記さらなる液体入口は、さらなる濃縮のために、液体を前記貯留槽から前記混合通路へ注入するために、前記再循環回路に連結されることを特徴とする請求項１乃至３のいずれかに記載の液体濃縮装置システム。
【請求項５】
前記さらなる液体入口は、前記液体入口の下流の前記混合通路内に配置されることを特徴とする請求項４に記載の液体濃縮装置システム。
【請求項６】
前記さらなる液体入口に隣接して前記混合通路内に配置されるバッフルをさらに備え、
前記再循環回路からの濃縮された液体が前記バッフルに衝突し、小滴で混合通路内に分散するようにすることを特徴とする請求項５に記載の液体濃縮装置システム。
【請求項７】
前記さらなる流体入口は、別個の液体進入口が前記混合通路の２つ以上の側壁のそれぞれに配置される複数の流体進入口を含み、
前記再循環回路は、前記複数の流体進入口のそれぞれに濃縮された液体を提供するように、前記混合通路を部分的に取り囲む配管を含むことを特徴とする請求項４乃至６のいずれかに記載の流体濃縮装置システム。
【請求項８】
前記調整可能な流量制限部は、前記混合通路の前記狭窄部分の大きさまたは形状を変更するように調整可能なベンチュリプレートであることを特徴とする請求項７に記載の液体濃縮装置システム。
【請求項９】
前記貯留槽内に濃縮された液体の抽出ポートをさらに備えることを特徴とする請求項１乃至８のいずれかに記載の液体濃縮装置システム。
【請求項１０】
前記混合通路及び前記ガス流路を通って流れるガス流を補助するために前記デミスターと共に用いられるファンをさらに備えることを特徴とする請求項１乃至９のいずれかに記載の液体濃縮システム。
【請求項１１】
前記ファンは、前記デミスターを通る負圧勾配を提供するために前記デミスターの下流に位置する誘引ファンであることを特徴とする請求項１０に記載の液体濃縮装置システム。
【請求項１２】
前記ファンは、前記デミスターの下流に配置される誘引ファンであり、
前記デミスターは、
デミスターガス入口と、
一部のガスを前記誘引ファンの下流点から前記デミスターガス入口へ迂回させるように、前記誘引ファンの前記下流点と前記デミスターガス入口との間に接続されるガス再循環回路と、
を含むことを特徴とする請求項１０または１１に記載の液体濃縮装置システム。
【請求項１３】
前記濃縮装置部の前記ガス出口と前記デミスターとの間に配置される配管部をさらに含むことを特徴とする請求項１乃至１２のいずれかに記載の液体濃縮装置システム。
【請求項１４】
前記混合通路の前記狭窄部分と前記配管部との間に接続される冠水エルボをさらに含むことを特徴とする請求項１３に記載の液体濃縮装置システム。
【請求項１５】
前記デミスターは、直交流スクラバーであることを特徴とする請求項１３または１４に記載の液体濃縮装置システム。
【請求項１６】
前記狭窄部分の上流の混合通路内に配置される外気弁をさらに備え、
前記外気弁は、前記ガス入口から前記混合通路内へ流入する高温ガスと混合するために、前記混合通路内へ外気を入れるように動作可能であることを特徴とする請求項１乃至１５のいずれかに記載の液体濃縮装置システム。
【請求項１７】
前記混合通路の前記狭窄部分の下流に接続される冠水エルボをさらに備え、
前記冠水エルボは、前記混合通路内を流れる前記ガスの方向を変更することを特徴とする請求項１乃至１３のいずれかに記載の液体濃縮装置システム。
【請求項１８】
前記デミスターは、前記混合通路から流れるガスから飛沫同伴液体を除去するように動作可能な直交流スクラバーであることを特徴とする請求項１乃至１７のいずれかに記載の液体濃縮装置システム。
【請求項１９】
前記直交流スクラバーは、衝突バッフルを含み、
前記液体コレクタは、前記直交流スクラバーを通るガス流の方向に交差して配置される取り外し可能なフィルタを含むことを特徴とする請求項１８に記載の液体濃縮装置システム。
【請求項２０】
前記直交流スクラバーを通って流れる前記ガスから除去された飛沫同伴液体は、前記フィルタから前記直交流スクラバー内の前記フィルタの下に位置する前記貯留槽に流れ出ることを特徴とする請求項１９に記載の液体濃縮装置システム。
【請求項２１】
廃熱源へ接続するためのガス移送配管と、
前記ガス移送配管に連結されるガス入口と、ガス出口と、前記ガス入口と前記ガス出口との間に配置される混合通路であって、前記ガス入口の下流に配置される液体注入チャンバと前記液体注入チャンバの下流に配置される狭窄部分とを有し、前記狭窄部分は、ガスが前記ガス入口から前記ガス出口へ移動するときにガス流を加速させる混合通路と、
前記液体注入チャンバ内に配置され、濃縮される液体が通って前記液体注入チャンバに注入される液体入口と、を含む濃縮装置とを備え、
前記混合通路は、前記液体注入チャンバが、前記狭窄部分の上に配置され、ガスが前記ガス入口から前記ガス出口へと前記混合通路を通って下向きに垂直に流れるように、垂直に配向されることを特徴とする液体濃縮装置システム。
【請求項２２】
前記ガス移送配管は、前記混合通路の上方に垂直に配置されることを特徴とする請求項２１に記載の液体濃縮装置システム。
【請求項２３】
前記ガス移送配管は、前記ガス入口と前記廃熱源との間に実質的に水平に配置されることを特徴とする請求項２１または２２に記載の液体濃縮装置システム。
【請求項２４】
前記濃縮装置は、前記ガス入口と前記液体注入チャンバとの間に配置されるガス前処理アセンブリをさらに含むことを特徴とする請求項２１乃至２３のいずれかに記載の液体濃縮装置システム。
【請求項２５】
前記廃熱源は、燃焼排気筒であり、
前記ガス移送配管および前記ガス前処理アセンブリは、前記ガス移送配管が前記液体注入チャンバの上方に持ち上げられるように、実質的に垂直な面上にＵ字型を形成することを特徴とする請求項２４に記載の液体濃縮装置システム。
【請求項２６】
前記ガス前処理アセンブリ内に配置され、前記液体注入チャンバの上方に配置される、外気弁をさらに備えることを特徴とする請求項２１乃至２５のいずれかに記載の液体濃縮装置システム。
【請求項２７】
アダプタ部をさらに備え、
前記アダプタ部は、前記混合通路内に装着され、前記混合通路が複数の異なる垂直高さになるように寸法決定することを可能にする、第２の構成要素に対して摺動可能な第１の構成要素を含むことを特徴とする請求項２１乃至２６のいずれかに記載の液体濃縮装置システム。
【請求項２８】
前記混合通路は、前記狭窄部分の下に垂直に配置される冠水エルボを含むことを特徴とする請求項２１乃至２７のいずれかに記載の液体濃縮装置システム。
【請求項２９】
液体を少なくとも部分的に蒸発させるために廃熱を用いる方法であって、
廃熱源を提供する工程と、
液体濃縮装置が、廃熱入口と、廃熱出口と、前記廃熱入口および前記廃熱出口を接続するガス流動通路であって、前記ガス流動通路を通る廃熱を加速する狭窄部分を含むガス流路とを備えており、前記液体濃縮装置を通る排熱を移動する工程と、
前記狭窄部分に近接する前記ガス流動通路へ液体を注入する工程と、
前記廃熱中のエネルギーが少なくとも部分的に前記液体を蒸発させることによって、前記廃熱および前記液体を混合する工程と、
前記廃熱から飛沫同伴した液滴を除去する工程と、
を含むことを特徴とする方法。
【請求項３０】
前記廃熱源は埋め立て地ガスフレアであることを特徴とする請求項２９に記載の方法。
【請求項３１】
前記廃熱源は、華氏約９００度であることを特徴とする請求項２９または３０に記載の方法。
【請求項３２】
前記廃熱源は、内燃機関であることを特徴とする請求項２９に記載の方法。
【請求項３３】
前記内燃機関は、埋め立て地ガスを燃焼し、電力を発生させることを特徴とする請求項２９に記載の方法。
【請求項３４】
前記内燃機関は、石油製品を燃焼することを特徴とする請求項２９に記載の方法。